(57)【要約】【課題】ワンウェイクラッチの歯車を簡単な構造で軸により支持しつつ、歯車の軸心に対する振れを抑制することができるワンウェイクラッチおよびワンウェイクラッチ付き回転ダンパ装置を提供する。【解決手段】ロータ軸２０の外周面、およびギア部材５０におけるギア本体５１の内周面の一方に溝部２１４が形成され、ロータ軸２０の外周面、およびギア部材５０におけるギア本体５１の内周面の他方に溝部２１４と嵌合可能な突起部５５が形成され、ロータ軸２０は、ロータ軸２０に形成された溝部２１４または突起部５５から軸心Ｐ方向へ離れた位置において、ギア本体５１の内周面に嵌合する嵌合部２２を有し、溝部２１４と突起部５５とが嵌合するとともに、嵌合部２２がギア本体５１の内周面に嵌合することにより、ギア部材５０がロータ軸２０に支持される。【選択図】図４
2020008094.tif 000002
【特許請求の範囲】
【請求項１】
軸心を中心として回転可能な回転軸と、
前記回転軸に前記軸心方向と直交する径方向へスライド可能に支持されるとともに、前記軸心を中心として前記回転軸と一体的に回転可能であり、スライド方向の両端部に径方向外側へ突出する爪部を有するスライド部材と、
前記回転軸に前記軸心を中心として相対的に回転可能に支持され前記スライド部材を収容する円筒状部材と、前記円筒状部材の外周面から径方向外側に突出する複数の外歯と、前記円筒状部材の内周面から径方向内側に突出する複数の内歯とを有するギア部材と、
を備え、
前記回転軸の外周面、および前記ギア部材における前記円筒状部材の内周面の一方に溝部が形成され、
前記回転軸の外周面、および前記ギア部材における前記円筒状部材の内周面の他方に前記溝部と嵌合可能な突起部が形成され、
前記回転軸は、前記回転軸に形成された前記溝部または前記突起部から前記軸心方向へ離れた位置において、前記円筒状部材の内周面に嵌合する嵌合部を有し、
前記溝部と前記突起部とが嵌合するとともに、前記嵌合部が前記円筒状部材の内周面に嵌合することにより、前記ギア部材が前記回転軸に支持され、
一方の前記爪部の先端と他方の前記爪部の先端との間の寸法が、前記複数の内歯の先端を通り前記軸心を中心とする円の径よりも大きく形成され、
前記爪部は、前記ギア部材が前記回転軸に対して一側へ回転することにより前記内歯に当接する退避面と、前記ギア部材が前記回転軸に対して他側へ回転することにより前記内歯に当接する係合面とを有し、
前記ギア部材が一側へ回転する際に前記内歯と前記退避面とが当接すると、前記スライド部材がスライド方向にスライドして前記爪部が前記内歯から退避して前記ギア部材が前記回転軸とは独立して回転し、前記ギア部材が他側へ回転する際に前記内歯と前記係合面とが当接すると、前記内歯と前記係合面とが係合して前記ギア部材と前記回転軸とが一体的に回転する、
ことを特徴とするワンウェイクラッチ。
【請求項２】
前記回転軸は、径方向に貫通し、前記スライド部材がスライド可能に挿通される挿通孔を有する、
ことを特徴とする請求項１に記載のワンウェイクラッチ。
【請求項３】
前記回転軸は、前記回転軸の先端部から前記軸心方向に沿って形成されるスリットにより周方向に分割された複数の軸片部を有し、
前記溝部は、前記軸片部の外周面に形成されている、
ことを特徴とする請求項１または請求項２に記載のワンウェイクラッチ。
【請求項４】
前記退避面は、径方向外側へいくに従って前記ギア部材の一側への回転方向における下流側に傾斜する傾斜面に形成され、
前記係合面は、前記ギア部材の他側への回転方向と直交する面、または径方向外側へいくに従って前記ギア部材の他側への回転方向における上流側に傾斜する傾斜面に形成される、
ことを特徴とする請求項１〜請求項３の何れか一項に記載のワンウェイクラッチ。
【請求項５】
前記内歯は、前記ギア部材が前記回転軸に対して一側へ回転することにより前記爪部と当接する第１面と、前記ギア部材が前記回転軸に対して他側へ回転することにより前記爪部と当接する第２面とを有し、
前記第１面は、径方向外側へいくに従って前記ギア部材の一側への回転方向における下流側に傾斜する傾斜面に形成され、
前記第２面は、径方向外側へいくに従って前記ギア部材の他側への回転方向における上流側に傾斜する傾斜面に形成される、
ことを特徴とする請求項１〜請求項４の何れか一項に記載のワンウェイクラッチ。
【請求項６】
請求項１〜請求項５の何れか一項に記載された前記ワンウェイクラッチと、
前記ワンウェイクラッチの前記回転軸が挿入されるハウジングと、
前記ハウジング内に収容され、前記軸心を中心として前記回転軸と一体的に回転可能なロータ翼と、
前記ハウジング内に封入され前記ロータ翼に回転抵抗を付与する粘性流体と、
を備える、
ことを特徴とするワンウェイクラッチ付き回転ダンパ装置。
【発明の詳細な説明】
【技術分野】
【０００１】
本発明は、ワンウェイクラッチおよびワンウェイクラッチ付き回転ダンパ装置に関する。
【背景技術】
【０００２】
従来、例えば扉等の開閉部に設けられ、開方向又は閉方向の一方に付勢された扉等をゆっくりと動作させて衝撃を緩和するために用いられる回転ダンパが知られている。このような回転ダンパにおいては、一方向の回転のみに対して減衰力を発生させるために、駆動力が入力される歯車を有したワンウェイクラッチと組み合わせてワンウェイクラッチ付き回転ダンパ装置が構成されることがある。
【０００３】
例えば、特許文献１に記載されるワンウェイクラッチ付き回転ダンパ装置１は、回転ダンパ２のロータ軸２９に結合され、ロータ軸２９と一体となって回転するインナ部材３５と、インナ部材３５を相対回転可能に収容し、外周面に外歯車６４が形成されるアウタ部材３６と、インナ部材３５とアウタ部材３６との間に介装された一対の遊星ギヤ３７とを有するワンウェイクラッチ３が、回転ダンパ２と組み合わされている。
【０００４】
このワンウェイクラッチ３においては、遊星ギヤは３７アウタ部材３６の内周面に形成される内歯車６３と噛み合うとともに、インナ部材３５に形成される凹部４７に収容されている。インナ部材３５の凹部４７は、遊星ギヤ３７よりもインナ部材３５の回転方向一側に配置され、インナ部材３５の径方向外側へ延出する第１壁４５と、遊星ギヤ３７よりもインナ部材３５の回転方向他側に配置され、インナ部材３５の径方向外側への延出長さが第１壁４５の半分程度であり延出した端部に角部を有した第２壁４６とを備えている。
【０００５】
そして、アウタ部材３６がインナ部材３５に対して一側（正方向）に回転する際には、アウタ部材３６の内歯車６３によって回転させられる遊星ギヤ３７が第１壁４５に当接し、第１壁４５上を摺接しつつ空転する。この場合、第１壁４５は遊星ギヤ３７の歯先が当接する位置よりも径方向外側に延出しているため、遊星ギヤ３７は第１壁４５の外側端部と噛み合うことがなく、第１壁４５上を空転する。これにより、アウタ部材３６が回転してもインナ部材３５は回転しない。
【０００６】
一方、アウタ部材３６がインナ部材３５に対して他側（負方向）に回転する際には、アウタ部材３６の内歯車６３によって回転させられる遊星ギヤ３７が第２壁４６側へ移動して第２壁４６の角部と噛み合い、回転不能となる。これにより、インナ部材３５が遊星ギヤ３７を介してアウタ部材３６に係合し、アウタ部材３６と一体に回転する。
【０００７】
このように構成されるワンウェイクラッチ３においては、インナ部材３５の支持軸４２がアウタ部材３６の貫通孔６６に摺接しつつ挿通されるとともに、インナ部材３５の突条５２がアウタ部材３６の環状溝６５に嵌合することで、アウタ部材３６がインナ部材３５に対して周方向へ相対的に回転可能に支持されている。つまり、アウタ部材３６はインナ部材３５を介してロータ軸２９に支持されている。
【先行技術文献】
【特許文献】
【０００８】
【特許文献１】特許第５６６６３７６号公報
【発明の概要】
【発明が解決しようとする課題】
【０００９】
前述のように、ワンウェイクラッチ３においては、アウタ部材３６はインナ部材３５を介してロータ軸２９に支持されているため、アウタ部材３６のロータ軸２９に対する支持構造が複雑となっていた。
また、アウタ部材３６のロータ軸２９に対する支持構造を簡単にするために、アウタ部材３６をロータ軸２９により直接支持しようとした場合、アウタ部材３６はロータ軸２９に嵌合させた貫通孔６６の部分のみでロータ軸２９に支持されることとなる。これにより、アウタ部材３６のロータ軸２９の軸心に対する振れが大きくなって、ワンウェイクラッチ３の円滑な動作が妨げられるおそれがある。
【００１０】
そこで、本発明においては、ワンウェイクラッチの歯車を簡単な構造で軸により支持しつつ、歯車の軸心に対する振れを抑制することができる、ワンウェイクラッチおよびワンウェイクラッチ付き回転ダンパ装置を提供するものである。
【課題を解決するための手段】
【００１１】
上記課題を解決するワンウェイクラッチおよびワンウェイクラッチ付き回転ダンパ装置は、以下の特徴を有する。
即ち、ワンウェイクラッチ付き回転ダンパ装置が備えるワンウェイクラッチは、軸心を中心として回転可能な回転軸と、前記回転軸に前記軸心方向と直交する径方向へスライド可能に支持されるとともに、前記軸心を中心として前記回転軸と一体的に回転可能であり、スライド方向の両端部に径方向外側へ突出する爪部を有するスライド部材と、前記回転軸に前記軸心を中心として相対的に回転可能に支持され前記スライド部材を収容する円筒状部材と、前記円筒状部材の外周面から径方向外側に突出する複数の外歯と、前記円筒状部材の内周面から径方向内側に突出する複数の内歯とを有するギア部材と、を備え、前記回転軸の外周面、および前記ギア部材における前記円筒状部材の内周面の一方に溝部が形成され、前記回転軸の外周面、および前記ギア部材における前記円筒状部材の内周面の他方に前記溝部と嵌合可能な突起部が形成され、前記回転軸は、前記回転軸に形成された前記溝部または前記突起部から前記軸心方向へ離れた位置において、前記円筒状部材の内周面に嵌合する嵌合部を有し、前記溝部と前記突起部とが嵌合するとともに、前記嵌合部が前記円筒状部材の内周面に嵌合することにより、前記ギア部材が前記回転軸に支持され、一方の前記爪部の先端と他方の前記爪部の先端との間の寸法が、前記複数の内歯の先端を通り前記軸心を中心とする円の径よりも大きく形成され、前記爪部は、前記ギア部材が前記回転軸に対して一側へ回転することにより前記内歯に当接する退避面と、前記ギア部材が前記回転軸に対して他側へ回転することにより前記内歯に当接する係合面とを有し、前記ギア部材が一側へ回転する際に前記内歯と前記退避面とが当接すると、前記スライド部材がスライド方向にスライドして前記爪部が前記内歯から退避して前記ギア部材が前記回転軸とは独立して回転し、前記ギア部材が他側へ回転する際に前記内歯と前記係合面とが当接すると、前記内歯と前記係合面とが係合して前記ギア部材と前記回転軸とが一体的に回転する。
これにより、ギア部材を簡単な構造で回転軸により支持しつつ、回転軸の軸心に対するギア部材の振れを抑制することができる。
【００１２】
また、前記回転軸は、径方向に貫通し、前記スライド部材がスライド可能に挿通される挿通孔を有する。
これにより、簡単な構成でスライド部材を支持することが可能となる。
【００１３】
また、前記回転軸は、前記回転軸の先端部から前記軸心方向に沿って形成されるスリットにより周方向に分割された複数の軸片部を有し、前記溝部は、前記軸片部の外周面に形成されている。
これにより、ギア部材の突起部を回転軸の溝部に嵌合させる際に軸片部が撓むこととなり、嵌合作業を容易にすることが可能となる。
【００１４】
また、前記退避面は、径方向外側へいくに従って前記ギア部材の一側への回転方向における下流側に傾斜する傾斜面に形成され、前記係合面は、前記ギア部材の他側への回転方向と直交する面、または径方向外側へいくに従って前記ギア部材の他側への回転方向における上流側に傾斜する傾斜面に形成される。
これにより、ギア部材の一側への回転に伴って、爪部が内歯から円滑に退避することが可能となる。また、ギア部材が回転軸に対して他側へ回転した際に、内歯と爪部との係合状態を保持し易くなる。
【００１５】
また、前記内歯は、前記ギア部材が前記回転軸に対して一側へ回転することにより前記爪部と当接する第１面と、前記ギア部材が前記回転軸に対して他側へ回転することにより前記爪部と当接する第２面とを有し、前記第１面は、径方向外側へいくに従って前記ギア部材の一側への回転方向における下流側に傾斜する傾斜面に形成され、前記第２面は、径方向外側へいくに従って前記ギア部材の他側への回転方向における上流側に傾斜する傾斜面に形成される。
これにより、ギア部材が一側へ回転する際に、爪部の内歯からの退避をさらに円滑にすることが可能となる。また、ギア部材が回転軸に対して他側へ回転した際に、内歯と爪部とが確実に係合可能となる。
【００１６】
また、ワンウェイクラッチ付き回転ダンパ装置は、請求項１〜請求項６の何れか一項に記載された前記ワンウェイクラッチと、前記ワンウェイクラッチの前記回転軸が挿入されるハウジングと、前記ハウジング内に収容され、前記軸心を中心として前記回転軸と一体的に回転可能なロータ翼と、前記ハウジング内に封入され前記ロータ翼に回転抵抗を付与する粘性流体と、を備える。
これにより、ギア部材の外歯の数を少なく構成することができる。従って、回転軸に回転力を伝達するギアを外歯に噛合させた際に、回転軸の回転数を高めてワンウェイクラッチ付き回転ダンパ装置において発生する回転軸に対する回転抵抗を大きくすることができ、ワンウェイクラッチに接続されたワンウェイクラッチ付き回転ダンパ装置の使い勝手を向上させることが可能となる。
【発明の効果】
【００１７】
本発明によれば、ギア部材を簡単な構造で回転軸により支持しつつ、回転軸の軸心に対するギア部材の振れを抑制することができる。
【図面の簡単な説明】
【００１８】
【図１】ワンウェイクラッチ付き回転ダンパ装置を示す斜視図である。
【図２】ワンウェイクラッチ付き回転ダンパ装置を示す平面図である。
【図３】ワンウェイクラッチ付き回転ダンパ装置を示す分解斜視図である。
【図４】ワンウェイクラッチ付き回転ダンパ装置を示す側面断面図である。
【図５】（ａ）はロータ軸を示す側面断面図であり、（ｂ）はロータ軸を示す正面図である。
【図６】底面側から見たギア部材を示す斜視図である。
【図７】ギア部材がロータ軸に対して一側へ回転する場合におけるワンウェイクラッチの動作を示す図であり、（ａ）は一方の爪部が円Ｃよりも径方向外側に位置し、一方の爪部に内歯が当接した状態を示す図、（ｂ）は一方の爪部が内歯に押圧されて径方向内側へ退避した状態を示す図である。
【図８】ギア部材がロータ軸に対して一側へ回転する場合におけるワンウェイクラッチの動作を示す図であり、円Ｃよりも径方向外側に位置する他方の爪部が内歯に当接した状態を示す図である。
【図９】ギア部材がロータ軸に対して他側へ回転する場合におけるワンウェイクラッチの動作を示す図であり、（ａ）は一方の爪部が円Ｃよりも径方向外側に位置した状態を示す図であり、（ｂ）は一方の爪部に内歯が係合した状態を示す図である。
【図１０】ギア部材がロータ軸に対して他側へ回転する場合におけるワンウェイクラッチの動作を示す図であり、一方の爪部と内歯が係合した後にロータ軸とギア部材とが一体的に回転する状態を示す図である。
【図１１】スライド部材の第２実施形態を示す斜視図である。
【図１２】第２実施形態に係るスライド部材を備えたワンウェイクラッチを示す底面断面図である。
【図１３】スライド部材の第３実施形態を示す斜視図である。
【図１４】第３実施形態に係るスライド部材を備えたワンウェイクラッチを示す底面断面図である。
【発明を実施するための形態】
【００１９】
次に、本発明を実施するための形態を、添付の図面を用いて説明する。
【００２０】
[ワンウェイクラッチ付き回転ダンパ装置]
図１〜図４に示すワンウェイクラッチ付き回転ダンパ装置１（以降、単に「回転ダンパ装置１」という）は、本発明に係るワンウェイクラッチ付き回転ダンパ装置の一実施形態である。
回転ダンパ装置１は、例えば小型プリンタ等のＯＡ機器の本体に回動可能に連結される開閉扉の開閉部に設けられ、開閉扉が開方向または閉方向の一方に回動する際に減衰力を発生するように用いられる。回転ダンパ装置１は、これに限らず、第１部材に回動可能に連結される第２部材の回動部に設けることができる。
【００２１】
回転ダンパ装置１は、ハウジング１０と、ロータ翼２５と、ロータ軸２０と、スライド部材３０と、ギア部材５０と、粘性流体６０とを備えている。
回転ダンパ装置１においては、ロータ軸２０と、スライド部材３０と、ギア部材５０とでワンウェイクラッチ２が構成されている。つまり、回転ダンパ装置１は、ロータ軸２０に回転抵抗を付与する回転ダンパにワンウェイクラッチ２を接続することにより構成されている。ロータ軸２０は、軸心を中心として回転可能な回転軸の一例である。
【００２２】
ハウジング１０は、ハウジング本体１０Ａと蓋体１０Ｂとを有している。
ハウジング本体１０Ａは有底の円筒形状に形成されており、底面１１を有している。底面１１の中心部には、軸心Ｐ方向に沿ってハウジング本体１０Ａ内に突出する円柱状の支持軸１２が形成されている。ハウジング本体１０Ａの軸心Ｐ方向における底面１１側とは反対側の端部には、開口部１３が形成されている。
蓋体１０Ｂはハウジング本体１０Ａの開口部１３を閉塞している。蓋体１０Ｂの中心部には、軸心Ｐ方向に貫通する円形状の貫通孔１４が形成されている。
【００２３】
ロータ翼２５は略円板状に形成されており、ハウジング本体１０Ａ内に軸心Ｐを中心として回転可能に収容されている。ロータ翼２５の中心部における底面１１と対向する側の面には軸受孔２３が形成されている。軸受孔２３はハウジング本体１０Ａの支持軸１２に対して嵌合可能に構成されている。軸受孔２３が支持軸１２に回転可能に嵌合することで、ロータ２０がハウジング１０に回転可能に支持される。
【００２４】
ロータ軸２０は、ロータ翼２５の中心部から軸心Ｐ方向の一側に向けて延出し、軸心Ｐを中心として回転可能に構成されている。ロータ軸２０は、ロータ翼２５と一体的に回転可能に構成されている。ロータ軸２０は、ハウジング１０の内部から蓋体１０Ｂの貫通孔１４を通じて、ハウジング１０の外部に延出している。
【００２５】
ロータ軸２０は、ハウジング１０内に挿入されている部分と、ハウジング１０の外部に突出している部分とを有している。ロータ軸２０におけるハウジング１０の外部に突出している部分は延出軸２１である。延出軸２１は、外周面が二面取りされた略円柱形状に形成されており、一対の面取り部２１１を有している。一対の面取り部２１１は平面状に形成されており、互いに平行に配置されている。
【００２６】
図３〜図５に示すように、延出軸２１には、延出軸２１を径方向に貫通する挿通孔２１２が形成されている。挿通孔２１２は、一対の面取り部２１１と面取り部２１１との間を連通する方向に形成されている。
【００２７】
延出軸２１は、延出軸２１の先端部（軸心Ｐ方向におけるハウジング１０側とは反対側の端部）から軸心Ｐ方向におけるハウジング１０側へ向かって形成されるスリット２１３により周方向に分割された複数の軸片部２１Ａを有している。つまり、延出軸２１の先端部は、スリット２１３によって複数の軸片部２１Ａに分割されている。
【００２８】
本実施形態においては、スリット２１３は径方向において挿通孔２１２の形成方向と平行に延出しており、延出軸２１の先端部を２つの軸片部２１Ａに分割している。但し、延出軸２１の先端部は、３以上の軸片部２１Ａに分割することも可能である。
【００２９】
延出軸２１における軸片部２１Ａの外周面には、径方向内側へ向かって凹陥する溝部２１４が形成されている。溝部２１４は、周方向に沿って延出している。本実施形態においては、溝部２１４は、軸片部２１Ａの周方向における全域にわたって形成されている。
【００３０】
ロータ軸２０における延出軸２１のハウジング１０側の端部には、嵌合部２２が形成されている。嵌合部２２は延出軸２１よりも大径に形成されている。嵌合部２２は、ハウジング１０の外部に露出している。
【００３１】
粘性流体６０は、ハウジング１０内に封入されている。粘性流体６０は、ハウジング本体１０Ａ内に収容され軸心Ｐを中心として回転するロータ翼２５、およびロータ翼２５と一体的に回転するロータ軸２０に回転抵抗を付与する。
粘性流体６０は、例えばシリコーンオイル等の粘性を有した流体にて構成されている。ロータ翼２５に付与する回転抵抗の大きさは、粘性流体６０の粘度やロータ翼２５の形状を適宜変更することで、調整することが可能である。
ロータ軸２０と蓋体１０Ｂとの間には、Ｏ−リングなどのシール部材１５が介装されており、ロータ軸２０と蓋体１０Ｂとの間から粘性流体６０が漏出することを防いでいる。
【００３２】
図１〜図４、図６に示すように、ギア部材５０は、軸心Ｐを中心として一側および一側とは反対側の他側へ回転可能に構成されており、ギア本体５１と、外歯ギア５２と、内歯５３とを有している。
ギア本体５１は、ロータ軸２０に軸心Ｐを中心として相対的に回転可能に支持される円筒状部材により形成されている。外歯ギア５２は、ギア本体５１の外周面から径方向外側に突出し、周方向に沿って配置される複数の外歯５２ａを有している。内歯５３は、ギア本体５１の内周面から径方向内側に突出しており、周方向に沿って複数設けられている。
【００３３】
ギア本体５１は、内歯５３が形成され、スライド部材３０を収容する収容部５１ａと、収容部５１ａよりも小径に形成されロータ軸２０に支持される支持部５１ｂとを有している。収容部５１ａは、軸心Ｐ方向において支持部５１ｂよりもハウジング１０側に配置されている。ギア本体５１の支持部５１ｂの内径と、延出軸２１の外径とは略同じ寸法に形成されており、支持部５１ｂに延出軸２１を挿入可能となっている。
【００３４】
支持部５１ｂの内周面には、径方向内側に向かって突出する突起部５５が形成されている。突起部５５は、周方向に沿って延出している。本実施形態においては、突起部５５は、支持部５１ｂの内周面における周方向の全域にわたって形成されている。
突起部５５はロータ軸２０の溝部２１４と嵌合可能に構成されており、支持部５１ｂに延出軸２１を挿入して突起部５５と溝部２１４とを嵌合させることによって、ギア部材５０がロータ軸２０に支持される。
【００３５】
本実施形態においては、ロータ軸２０に溝部２１４を形成するとともに、ギア本体５１の支持部５１ｂに突起部５５を形成しているが、ロータ軸２０に径方向外側に向かって突出する突起部を形成するとともに、ギア本体５１の支持部５１ｂに径方向外側へ向かって凹陥する溝部を形成して、突起部と溝部とを嵌合させることにより、ギア部材５０をロータ軸２０に支持させることもできる。
【００３６】
ギア本体５１における収容部５１ａの内径と、ロータ軸２０の嵌合部２２の外径とは略同じ寸法に形成されており、収容部５１ａのハウジング１０側端部と、ロータ軸２０の嵌合部２２とは嵌合可能に構成されている。収容部５１ａのハウジング１０側端部は、ロータ軸２０の嵌合部２２が嵌合される、被嵌合部５１１として構成されている。
ワンウェイクラッチ２では、ギア部材５０の支持部５１ｂにおける突起部５５とロータ軸２０の溝部２１４とが嵌合した状態において、ギア部材５０の収容部５１ａにおけるハウジング１０側端部とロータ軸２０の嵌合部２２とが嵌合している。
【００３７】
このように、ロータ軸２０は、溝部２１４および突起部５５から軸心Ｐ方向のハウジング１０側へ離れた位置において、収容部５１ａの被嵌合部５１１に嵌合する嵌合部２２を有している。そして、溝部２１４と嵌合する突起部５５が形成された部分に加えて、嵌合部２２と嵌合する被嵌合部５１１が構成される部分においても、ギア部材５０がロータ軸２０に支持されている。
【００３８】
つまり、ギア部材５０は、軸心Ｐ方向において互いに離れた突起部５５の部分および被嵌合部５１１の部分といった複数の部分でロータ軸２０に支持されている。
これにより、ギア部材５０を簡単な構造でロータ軸２０により支持しつつ、ロータ軸２０に支持されたギア部材５０の軸心Ｐに対する振れを抑制することが可能となっている。
【００３９】
内歯５３は、ギア部材５０の一側への回転方向における下流側に配置される第１面５３ａと、ギア部材５０の一側への回転方向において第１面５３ａよりも上流側に配置される第２面５３ｂとを有している。第１面５３ａは、径方向外側へいくに従ってギア部材５０の一側への回転方向における下流側に傾斜する傾斜面に形成されている。第２面５３ｂは、径方向外側へいくに従ってギア部材５０の他側への回転方向における上流側に傾斜する傾斜面に形成されている。
【００４０】
内歯５３は、ギア部材５０の周方向に沿って等間隔で配置されている。内歯５３は、各内歯５３の先端（第１面５３ａと第２面５３ｂとの境界部）を通る円Ｃの中心が軸心Ｐとなるように形成されている（図６参照）。
【００４１】
図３、図４に示すように、スライド部材３０は、棒状部材にて形成されており、延出軸２１の挿通孔２１２に軸心Ｐ方向と直交する径方向へスライド可能に挿通されている。スライド部材３０は、挿通孔２１２に挿通されることにより、ロータ軸２０に支持されており、軸心Ｐを中心としてロータ軸２０と一体的に回転可能に構成されている。スライド部材３０は、スライド方向に沿って延出する一対の側面３０ａを有している。
スライド部材３０は、スライド方向の両端部に径方向外側へ突出する爪部３１を有している。
【００４２】
図７（ａ）に示すように、爪部３１は、ギア部材５０の一側への回転方向における上流側に配置される退避面３１ａと、ギア部材５０の一側への回転方向において退避面３１ａよりも下流側に配置される係合面３１ｂとを有している。退避面３１ａは、径方向外側へいくに従ってギア部材５０の一側への回転方向における下流側に傾斜する傾斜面に形成されている。係合面３１ｂは、径方向外側へいくに従ってギア部材５０の他側への回転方向における上流側に傾斜する傾斜面に形成されている。
爪部３１は、スライド部材３０のスライド方向と直交し、かつ側面３０ａと直交する方向において、側面３０ａよりも係合面３１ｂ側へ突出している。つまり、爪部３１は、側面３０ａよりもギア部材５０の一側への回転方向における下流側へ突出している。
【００４３】
図７（ａ）に示すように、スライド部材３０における一方の爪部３１の先端と他方の爪部３１の先端との間の寸法Ｌは、円Ｃの径Ｒよりも大きく形成されている。従って、スライド部材３０のロータ軸２０に対するスライド位置にかかわらず、少なくとも何れか一方の爪部３１が円Ｃよりも径方向外側に位置することとなる。
【００４４】
爪部３１の退避面３１ａは、ギア部材５０がロータ軸２０に対して一側へ回転することによりギア部材５０の内歯５３に当接し、爪部３１の係合面３１ｂは、ギア部材５０がロータ軸２０に対して他側へ回転することによりギア部材５０の内歯５３に当接する。
また、ギア部材５０における内歯５３の第１面５３ａは、ギア部材５０がロータ軸２０に対して一側へ回転することによりスライド部材３０の爪部３１と当接し、ギア部材５０がロータ軸２０に対して他側へ回転することによりスライド部材３０の爪部３１と当接する。
【００４５】
[ワンウェイクラッチ付き回転ダンパ装置におけるワンウェイクラッチの動作]
このように構成される回転ダンパ装置１におけるワンウェイクラッチ２は、次のように動作する。
なお、以下のワンウェイクラッチ２の動作についての説明においては、スライド部材３０の両端部に形成される爪部３１のうち、一方の爪部３１を爪部３１１と表し、他方の爪部３１を爪部３１２と表す。また、ギア部材５０の各内歯５３を、ギア部材５０を図７（ａ）に示す状態から一側へ回転させた際に爪部３１と当接する順に内歯５３１、内歯５３２、内歯５３３、内歯５３４、と適宜表す。
【００４６】
まず、ギア部材５０がロータ軸２０に対して一側へ回転する場合のワンウェイクラッチ２の動作について説明する。
図７（ａ）には、爪部３１１が円Ｃよりも径方向外側に位置しており、爪部３１２は円Ｃから径方向外側にはみ出していない状態を示している。図７（ａ）に示す状態では、内歯５３１は爪部３１１よりもギア部材５０の一側への回転方向の上流側に位置している。
【００４７】
この状態においてギア部材５０がロータ軸２０に対して一側へ回転すると、ギア部材５０の内歯５３１が爪部３１１に当接する。内歯５３１が爪部３１１に当接した後にギア部材５０が一側へ回転すると、爪部３１１が内歯５３１に押圧されて、爪部３１１が内歯５３１から径方向内側へ退避し、スライド部材３０が爪部３１２側へスライドする。
【００４８】
この場合、内歯５３１の第１面５３１ａが爪部３１１の退避面３１１ａに当接するが、退避面３１１ａは、径方向外側へいくに従ってギア部材５０の一側への回転方向における下流側に傾斜する傾斜面に形成されているため、ギア部材５０の一側への回転に伴って、爪部３１１が内歯５３１から円滑に退避することが可能となっている。
また、内歯５３１の第１面５３１ａは、径方向外側へいくに従ってギア部材５０の一側への回転方向における下流側に傾斜する傾斜面に形成されているため、ギア部材５０が一側へ回転する際に、爪部３１１の内歯５３１からの退避をさらに円滑にすることが可能となっている。
【００４９】
図７（ｂ）に示すように、スライド部材３０は、爪部３１１が一側へ回転するギア部材５０の内歯５３１によって押圧されることにより、爪部３１１が円Ｃから外側にはみ出していない状態となるまで爪部３１２側へスライドする。
爪部３１１が円Ｃから外側にはみ出していない状態となるまでスライド部材３０がスライドした後は、内歯５３１は爪部３１１と噛み合うことなく、爪部３１１よりもギア部材５０の一側への回転方向の下流側に移動する。
スライド部材３０が、爪部３１１が円Ｃから外側にはみ出していない状態となるスライド位置にあるときには、爪部３１２が円Ｃから外側にはみ出した状態となっている。
【００５０】
図８に示すように、ギア部材５０がさらに一側へ回転すると、ギア部材５０の内歯５３２が爪部３１１とは反対側に位置する爪部３１２に当接する。内歯５３２が爪部３１２に当接した後にギア部材５０が一側へ回転すると、爪部３１２が内歯５３２に押圧されて、爪部３１２が内歯５３２から径方向内側へ退避し、スライド部材３０が爪部３１１側へスライドする。
スライド部材３０は、爪部３１２が円Ｃから外側にはみ出していない状態となるまでスライドし、その後内歯５３２は爪部３１２と噛み合うことなく、爪部３１２よりもギア部材５０の一側への回転方向の下流側に移動する。
【００５１】
その後、ギア部材５０がさらに一側へ回転すると、ギア部材５０の内歯５３３が爪部３１１に当接し、スライド部材３０が、爪部３１１が円Ｃから外側にはみ出していない状態となるまで爪部３１２側へスライドする。ギア部材５０がさらに一側へ回転すると、ギア部材５０の内歯５３４が爪部３１２に当接し、スライド部材３０が、爪部３１２が円Ｃから外側にはみ出していない状態となるまで爪部３１１側へスライドする。
【００５２】
このように、ギア部材５０が一側へ回転した場合は、ギア部材５０の内歯５３がスライド部材３０の爪部３１１および爪部３１２に交互に当接し、内歯５３が爪部３１１、３１２に当接した際に、爪部３１１、３１２が内歯５３から退避してスライド部材３０がスライド方向における爪部３１２側および爪部３１１１側へ交互にスライドするように構成している。これにより、ギア部材５０の内歯５３がスライド部材３０の爪部３１１、３１２に係合することがなく、ギア部材５０がロータ軸２０とは独立して回転することとなる。
そして、ギア部材５０がロータ軸２０とは独立して回転し、ロータ軸６２は回転しないため、ギア部材５０は回転抵抗が付与されることなく回転する。
【００５３】
次に、ギア部材５０がロータ軸２０に対して他側へ回転する場合のワンウェイクラッチ２の動作について説明する。
図９（ａ）には、爪部３１１が円Ｃよりも径方向外側に位置しており、爪部３１２は円Ｃから径方向外側にはみ出していない状態を示している。図９（ａ）に示す状態では、内歯５３１は爪部３１１よりもギア部材５０の他側への回転方向の上流側に位置している。
【００５４】
この状態からギア部材５０がロータ軸２０に対して他側へ回転すると、図９（ｂ）に示すように、ギア部材５０の内歯５３１が爪部３１１に当接して、内歯５３１と爪部３１１とが係合する。
図１０に示すように、内歯５３１と爪部３１１とが係合した後にギア部材５０が他側へ回転すると、スライド部材３０はスライド方向にスライドすることなく、内歯５３１と爪部３１１との係合状態が維持され、ロータ軸２０がギア部材５０と一体的に回転する。ロータ軸２０がギア部材５０と一体的に回転すると、ロータ軸６２が回転した際にロータ軸６２に付与される粘性流体６０による回転抵抗がギア部材５０にも伝達される。
【００５５】
この場合、内歯５３１の第２面５３１ｂが爪部３１１の係合面３１１ｂに当接するが、係合面３１１ｂは、径方向外側へいくに従ってギア部材５０の他側への回転方向における上流側に傾斜する傾斜面に形成されているため、ギア部材５０がロータ軸２０に対して他側へ回転した際に、内歯５３１と爪部３１１との係合状態を保持し易くなっている。
さらに、内歯５３１の第２面５３１ｂは、径方向外側へいくに従ってギア部材５０の他側への回転方向における上流側に傾斜する傾斜面に形成されているため、ギア部材５０がロータ軸２０に対して他側へ回転した際に、内歯５３１と爪部３１１とが確実に係合可能となっている。
【００５６】
また、回転ダンパ装置１のワンウェイクラッチにおいては、スライド部材３０における爪部３１１の先端と爪部３１２の先端との間の寸法Ｌが、円Ｃの径Ｒよりも大きく形成されており、少なくとも何れか一方の爪部３１１、３１２が円Ｃよりも外側に位置しているため、ギア部材５０がロータ軸２０に対して他側へ回転した場合に、スライド部材３０のスライド位置にかかわらず、爪部３１１の係合面３１１ｂまたは爪部３１２の係合面３１２ｂと、内歯５３の第２面５３ｂとが確実に係合して、ギア部材５０とロータ軸２０とが一体的に回転することが可能になっている。
【００５７】
また、ワンウェイクラッチ２においては、ロータ軸２０にスライド可能に設けられるスライド部材３０の爪部３１により、ギア部材５０とロータ軸２０とが係合する状態と、ギア部材５０とロータ軸２０とが係合しない状態とを切り替えるように構成されているので、例えばワンウェイクラッチを複数の遊星ギアがアウタ部材の内部に収容される構成とした場合に比べて、ワンウェイクラッチを小型化することが可能となっている。
【００５８】
このように、ワンウェイクラッチ２を小型化した場合、ギア部材５０の外歯ギア５２における外歯５２ａの数を少なく構成することができる。従って、ロータ軸２０に回転力を伝達するギアを外歯ギア５２に噛合させた際に、ロータ軸２０の回転数を高めて回転ダンパ装置１において発生するロータ軸２０に対する回転抵抗を大きくすることができ、ワンウェイクラッチ２に接続された回転ダンパ装置１の使い勝手を向上させることが可能となる。
【００５９】
また、ワンウェイクラッチ２においては、ギア部材５０およびスライド部材３０をロータ軸２０により支持しているため、ギア部材５０およびスライド部材３０を支持するための別部材が必要でなく、ワンウェイクラッチ２を構成する部品点数を削減することが可能となっている。
特に、ギア部材５０は、ロータ軸２０の溝部２１４とギア部材５０の突起部５５とを嵌合させるとともに、ロータ軸２０の嵌合部２２とギア部材５０の被嵌合部５１１とを嵌合させることによってロータ軸２０に支持されているため、ギア部材５０を支持するために別部材を要することがなく、部品点数を削減することができる。また、ギア部材５０をロータ軸２０の軸心Ｐ方向に離れた複数個所にて支持することで、ギア部材５０をロータ軸２０によって簡単な構造で支持しながら、ロータ軸２０に支持されたギア部材５０の振れを抑制することが可能である。
これは、ロータ軸２０に突起部を形成するとともに、ギア部材５０に前記突起部と嵌合する溝部を形成した場合も同様である。
【００６０】
また、ロータ軸２０はスリット２１３によって複数の軸片部２１Ａに分割されており、溝部２１４は軸片部２１Ａの外周面に形成されているため、ギア部材５０の突起部５５をロータ軸２０の溝部２１４に嵌合させる際にロータ軸２０の軸片部２１Ａが撓むこととなり、嵌合作業を容易にすることが可能となっている。
【００６１】
さらに、スライド部材３０は、ロータ軸２０の挿通孔２１２に挿通することによりロータ軸２０にスライド可能に支持されるものであるため、簡単な構成でスライド部材３０を支持することが可能となっている。
【００６２】
[スライド部材の第２実施形態]
スライド部材３０は、スライド部材３０のスライド方向と直交し、かつ側面３０ａと直交する方向において、爪部３１が側面３０ａよりも係合面３１ｂ側へ突出するように構成されているが、スライド部材は、爪部がスライド部材の側面から突出しないように構成することもできる。
【００６３】
例えば、図１１、図１２に示すスライド部材１３０は、延出軸２１の挿通孔２１２に軸心Ｐ方向と直交する径方向へスライド可能に挿通されている。スライド部材１３０は、挿通孔２１２に挿通されることにより、ロータ軸２０に支持されており、軸心Ｐを中心としてロータ軸２０と一体的に回転可能に構成されている。スライド部材１３０は、スライド方向に沿って延出する一対の側面１３０ａを有している。
スライド部材１３０は、スライド方向の両端部に径方向外側へ突出する爪部１３１を有している。
【００６４】
爪部１３１は、ギア部材５０の一側への回転方向における上流側に配置される退避面１３１ａと、ギア部材５０の一側への回転方向において退避面１３１ａよりも下流側に配置される係合面１３１ｂとを有している。退避面１３１ａは、径方向外側へいくに従ってギア部材５０の一側への回転方向における下流側に傾斜する傾斜面に形成されている。係合面１３１ｂは、径方向外側へいくに従ってギア部材５０の他側への回転方向における上流側に傾斜する傾斜面に形成されている。
【００６５】
爪部１３１は、スライド部材１３０のスライド方向と直交し、かつ側面１３０ａと直交する方向において、一対の側面１３０ａの範囲内に収まっており、側面１３０ａから係合面１３１ｂ側および退避面１３１ａ側へは突出していない。
このように、スライド部材１３０においては、爪部１３１が一対の側面１３０ａの範囲内に収まっているため、スライド部材１３０を延出軸２１の挿通孔２１２に挿入する際に、爪部１３１が挿通孔２１２と干渉することがなく、スライド部材１３０の挿通孔２１２への挿入作業を容易にすることが可能となっている。
【００６６】
[スライド部材の第３実施形態]
スライド部材３０は、図１３、図１４に示すように、略円柱形状のスライド部材２３０に構成することもできる。この場合、スライド部材２３０が挿通される延出軸２１の挿通孔２１２は、スライド部材２３０の形状に合わせた円筒形状に形成することができる。
【００６７】
スライド部材２３０の両端部は、ギア部材５０の一側への回転方向における上流側に配置される退避面２３１ａと、ギア部材５０の一側への回転方向において退避面２３１ａよりも下流側に配置される係合面２３１ｂとを有する爪部２３１として構成されている。退避面２３１ａは、径方向外側へいくに従ってギア部材５０の一側への回転方向における下流側に傾斜する傾斜面に形成されている。係合面２３１ｂは、ギア部材５０の他側への回転方向と直交する面に形成されている。
退避面２３１ａは、ギア部材５０がロータ軸２０に対して一側へ回転する際に、ギア部材５０における内歯５３の第１面５３ａに当接し、係合面２３１ｂは、ギア部材５０がロータ軸２０に対して他側へ回転する際に、ギア部材５０における内歯５３の第２面５３ｂに当接する。
【００６８】
このように、退避面２３１ａを、径方向外側へいくに従ってギア部材５０の一側への回転方向における下流側に傾斜する傾斜面に形成することで、ギア部材５０が一側へ回転する際に、スライド部材２３０両端の爪部２３１が同時にギア部材５０の内歯５３と干渉することが抑制され、爪部２３１の退避面２３１ａが内歯５３から円滑に退避することが可能となる。
また、係合面２３１ｂを、ギア部材５０の他側への回転方向と直交する面に形成することで、ギア部材５０が他側へ回転した際に、内歯１３と係合面２３１ｂとの係合状態を保持し易くなる。
【００６９】
また、延出軸２１および/またはスライド部材２３０は、挿通孔２１２に挿通されたスライド部材２３０が円柱形状の軸心を中心として回転することを抑制可能に構成することが好ましい。このように構成することで、スライド部材２３０の退避面２３１ａと、ギア部材５０における内歯５３の第１面５３ａとの当接を確保することが可能となる。
【符号の説明】
【００７０】
１    ワンウェイクラッチ付き回転ダンパ装置
２    ワンウェイクラッチ
１０    ハウジング
１０Ａ  ハウジング本体
２０    ロータ軸
２１    延出軸
２１Ａ  軸片部
２２    嵌合部
２５    ロータ翼
３０、１３０、２３０  スライド部材
３０ａ  側面
３１、１３１、２３１  爪部
３１ａ、１３１ａ、２３１ａ  退避面
３１ｂ、１３１ｂ、２３１ｂ  係合面
５０    ギア部材
５１    ギア本体
５２    外歯ギア
５２ａ  外歯
５３    内歯
５３ａ  第１面
５３ｂ  第２面
５５    突起部
６０    粘性流体
２１１    面取り部
２１２    挿通孔
２１３    スリット
２１４    溝部
５１１    被嵌合部
Ｃ    （各内歯の先端を通る）円
Ｌ    （一方の爪部の先端と他方の爪部の先端との間の）寸法
Ｐ    軸心
Ｒ    （円の）径
【図１】
2020008094.tif 000003
【図２】
2020008094.tif 000004
【図３】
2020008094.tif 000005
【図４】
2020008094.tif 000006
【図５】
2020008094.tif 000007
【図６】
2020008094.tif 000008
【図７】
2020008094.tif 000009
【図８】
2020008094.tif 000010
【図９】
2020008094.tif 000011
【図１０】
2020008094.tif 000012
【図１１】
2020008094.tif 000013
【図１２】
2020008094.tif 000014
【図１３】
2020008094.tif 000015
【図１４】
2020008094.tif 000016